(57)【要約】      （修正有）【課題】絶縁ブロックから第一のコード手段の片端部及び第二のコード手段の片端部が引き抜かれてしまうことが防止され、過剰な引き抜き力に起因して引き抜かれた場合には露呈されている第一の発熱導線の先端と露呈されている第二の発熱導線の先端との接続が破壊され、漏電の発生が確実に回避される、コネクターを提供する。【解決手段】接続ターミナルの基部の一部によって、第一のコード手段の片端部と第二のコード手段の片端部とを囲繞すると共に、接続ターミナルの基部の上記一部に隣接してその前方に筒状部材を配置して、第一のコード手段の片端部と第二のコード手段の片端部を基部の上記一部に続いて筒状部材を通して延在せしめ、そして筒状部材の先端側において、相互に接続されている第一の発熱導線の非絶縁被覆先端２６及び第二の発熱導線の非絶縁被覆先端と筒状部材との間を通して挿通部材を延在せしめる。【選択図】図１
2015146260.tif 000002
【特許請求の範囲】
【請求項１】
第一の芯線、該第一の芯線に螺旋巻された第一の発熱導線、該第一の発熱導線を被覆する第一の絶縁被覆及び該第一の絶縁被覆に螺旋巻された検知線を含む第一のコード手段の片端部と、第二の芯線、該第二の芯線に螺旋巻された第二の発熱導線、該第二の発熱導線を被覆する第二の絶縁被覆を含む第二のコード手段の片端部と共に、接続ターミナルの基部が絶縁ブロック内に収容されており、
該検知線の片端が該接続ターミナルの該基部に接続されており、
該第一のコード手段の該片端部の先端において該第一の発熱導線が該第一の絶縁被覆によって被覆されてないと共に、該第二のコード手段の該片端部の先端において該第二の発熱導線が該第二の絶縁被覆によって被覆されてなく、該第一の発熱導線の非絶縁被覆先端と該第二の発熱導線の非絶縁被覆先端とは相互に接続されているコネクターにおいて、
該接続ターミナルの該基部は該第一のコード手段の該片端部及び該第二のコード手段の該片端部を囲繞する環形状部を有し、
該接続ターミナルの該基部の該環形状部に隣接してその前方に筒状部材が配設されており、該第一のコード手段の該片端部と該第二のコード手段の該片端部は該基部の該環形状部に続いて該筒状部材を通して延在せしめられており、
該筒状部材の先端側において、相互に接続されている該第一の発熱導線の該非絶縁被覆先端及び該第二の発熱導線の該非絶縁被覆先端と該筒状部材との間を通って延在する挿通部材が配設されており、
該筒状部材及び該挿通部材も該絶縁ブロック内に収容されている、
ことを特徴とするコネクター。
【請求項２】
少なくとも該接続ターミナルの該基部の該環形状部内に位置する部位までの領域において、該第一のコード手段と該第二のコード手段とは共通外側絶縁被覆によって被覆されており、該接続ターミナルの該基部の該環形状部は該共通外側絶縁被覆を囲繞している、請求項１記載のコネクター。
【発明の詳細な説明】
【技術分野】
【０００１】
本発明は、電気毛布或いは電気カーペットの如き電気採暖具に適用される電気発熱手段のためのコネクター、更に詳しくは電気発熱手段に配設されている検知線を電気採暖具のコントローラに電気的に接続するための、１本端子コネクターと称されているコネクターに関する。
【背景技術】
【０００２】
下記特許文献１に開示されている如く、電気毛布或いは電気カーペットの如き電気採暖具に適用される電気発熱手段として、第一の芯線、この第一の芯線に螺旋巻された第一の発熱導線、第一の発熱導線を被覆する絶縁被覆及びこの絶縁被覆に螺旋巻された検知線を含む第一のコード手段と、第二の芯線、この第二の芯線に螺旋巻された第二の発熱導線及び第二の発熱導線を被覆する絶縁被覆を含む第二のコード手段とを具備する電気発熱手段が広く実用に供されている。通常、第一のコード手段と第二のコード手段とは、更に共通の外側絶縁被覆によって被覆されている。かような電気発熱手段は３本端子コネクターと称されるコネクターと共に１本端子コネクターと称されているコネクターを介してコントローラに電気的に接続される。
【０００３】
１本端子コネクターと称されるコネクターにおいては、第一のコード手段の片端部と第二のコード手段の片端部と共に接続ターミナルの基部が絶縁ブロック内に収容されている。更に詳細には、第一のコード手段の片端部、第二のコード手段の片端部及び接続ターミナルの基部が所謂中子として成形型内に配置され、成形型内に適宜の合成樹脂を射出することによって絶縁ブロックが成形される。絶縁ブロックを射出成形するのに先立って、第一のコード手段における第一の発熱導線の先端において第一の絶縁被覆が剥ぎ取られて第一の発熱導線の先端が露呈されると共に第二のコード手段における発熱導線の先端において第二の絶縁被覆が剥ぎ取られて第二の発熱導線の先端が露呈され、そして第一の発熱導線の先端と第二の発熱導線の先端とが相互に接続される。また、検出線の片端は接続ターミナルの基部に接続される。
【先行技術文献】
【特許文献】
【０００４】
【特許文献１】特許第４８９８５０４号公報
【発明の概要】
【発明が解決しようとする課題】
【０００５】
而して、１本端子コネクターと称される従来のコネクターには、次のとおりの問題がある。第一のコード手段の片端部及び第二のコード手段の片端部が成形ブロック内へ充分確実に保持されず、絶縁ブロックの外側に位置する第一のコード手段及び／又は第二のコード手段に引張力が加えられると、第一のコード手段の片端部及び第二のコード手段の片端部が絶縁ブロックから引き抜かれてしまう傾向がある。露呈されている第一の発熱導線の先端と露呈されている第二の発熱導線の先端とが接続されたままで絶縁ブロックから引き抜かれてしまった場合には、通電状態が維持される故に漏電が発生してしまう虞がある。
【０００６】
本発明は上記事実に鑑みてなされたものであり、その主たる技術的課題は、絶縁ブロックから第一のコード手段の片端部及び第二のコード手段の片端部が引き抜かれてしまうことが可及的に防止され、過剰な引き抜き力に起因して絶縁ブロックから第一のコード手段の片端部及び第二のコード手段の片端部から引き抜かれた場合には露呈されている第一の発熱導線の先端と露呈されている第二の発熱導線の先端との接続が破壊され、漏電の発生が確実に回避される、新規且つ改良されたコネクターを提供することである。
【課題を解決するための手段】
【０００７】
本発明者は、鋭意検討の結果、接続ターミナルの基部の一部によって、第一のコード手段の片端部と第二のコード手段の片端部とを囲繞すると共に、接続ターミナルの基部の上記一部に隣接してその前方に筒状部材を配置して、第一のコード手段の片端部と第二のコード手段の片端部を基部の上記一部に続いて筒状部材を通して延在せしめ、そして筒状部材の先端側において、相互に接続されている第一の発熱導線の非絶縁被覆先端及び第二の発熱導線の非絶縁被覆先端と筒状部材との間を通して挿通部材を延在せしめることによって、上記主たる技術的課題を達成することができることを見出した。
【０００８】
即ち、本発明によれば、上記主たる技術的課題を達成するコネクターとして、第一の芯線、該第一の芯線に螺旋巻された第一の発熱導線、該第一の発熱導線を被覆する第一の絶縁被覆及び該第一の絶縁被覆に螺旋巻された検知線を含む第一のコード手段の片端部と、第二の芯線、該第二の芯線に螺旋巻された第二の発熱導線、該第二の発熱導線を被覆する第二の絶縁被覆を含む第二のコード手段の片端部と共に、接続ターミナルの基部が絶縁ブロック内に収容されており、
該検知線の片端が該接続ターミナルの該基部に接続されており、
該第一のコード手段の該片端部の先端において該第一の発熱導線が該第一の絶縁被覆によって被覆されてないと共に、該第二のコード手段の該片端部の先端において該第二の発熱導線が該第二の絶縁被覆によって被覆されてなく、該第一の発熱導線の非絶縁被覆先端と該第二の発熱導線の非絶縁被覆先端とは相互に接続されているコネクターにおいて、
該接続ターミナルの該基部は該第一のコード手段の該片端部及び該第二のコード手段の該片端部を囲繞する環形状部を有し、
該接続ターミナルの該基部の該環形状部に隣接してその前方に筒状部材が配設されており、該第一のコード手段の該片端部と該第二のコード手段の該片端部は該基部の該環形状部に続いて該筒状部材を通して延在せしめられており、
該筒状部材の先端側において、相互に接続されている該第一の発熱導線の該非絶縁被覆先端及び該第二の発熱導線の該非絶縁被覆先端と該筒状部材との間を通って延在する挿通部材が配設されており、
該筒状部材及び該挿通部材も該絶縁ブロック内に収容されている、
ことを特徴とするコネクターが提供される。
【０００９】
少なくとも該接続ターミナルの該基部の該環形状部内に位置する部位までの領域において、該第一のコード手段と該第二のコード手段とは共通外側絶縁被覆によって被覆されており、該接続ターミナルの該基部の該環形状部は該共通外側絶縁被覆を囲繞しているのが好適である。
【発明の効果】
【００１０】
本発明のコネクターにおいては、筒状部材の先端側において、相互に接続されている第一の発熱導線の非絶縁被覆先端及び第二の発熱導線の非絶縁被覆先端と筒状部材との間を通って延在する挿通部材の存在によって、第一のコード手段の片端部及び第二のコード手段の片端部が絶縁ブロックから引き抜かれてしまうことが可及的に防止される。過剰な引張力が加えられた場合には、第一のコード手段の片端部及び第二のコード手段の片端部が絶縁ブロックから引き抜かれるのに先立って、挿通部材の存在に起因して第一の発熱導線の非絶縁被覆先端と第二の発熱導線の非絶縁被覆先端との接続が破壊され、かくして漏電の発生が確実に回避される。
【図面の簡単な説明】
【００１１】
【図１】本発明に従って構成されたコネクターの斜面図。
【図２】図１に示すコネクターの片端部を拡大した平面図。
【図３】図１に示すコネクターに過剰な引張力が加えられた状態を示す斜面図。
【発明を実施するための形態】
【００１２】
以下、添付図面を参照して、本発明に従って構成されたコネクターの好適実施形態について、更に詳述する。
【００１３】
図１を参照して説明すると、本発明に従って構成されたコネクター２は絶縁ブロック４を有する。絶縁ブロック４内には、第一のコード手段６の片端部と第二のコード手段８の片端部と共に、基部１０ａ及び端子部１０ｂからなる金属製の接続ターミナル１０の基部１０ａが収容されている。かような絶縁ブロック４は第一のコード手段６の片端部と、第二のコード手段８の片端部と、接続ターミナル１０と、後述する筒状部材及び挿通部材並びに共通外側絶縁被覆の片端部を所謂中子として成形型内に配置して、成形型内に適宜の合成樹脂を射出することによって成形される。
【００１４】
図１と共に図２を参照することにより明確に理解されるとおり、第一のコード手段６は、第一の芯線１２と、第一の芯線１２に螺旋巻きされた第一の発熱導線１４と、第一の発熱導線１４を被覆する第一の絶縁被覆１６と、第一の絶縁被覆１６に螺旋巻きされた検知線１８と、を含む。第二のコード手段８は、第二の芯線２０と、第二の芯線２０に螺旋巻きされた第二の発熱導線２２と、第二の発熱導線２２を被覆する第二の絶縁被覆２４と、を含む。第一のコード手段６の片端部の先端においては、第一の絶縁被覆１６を剥ぎ取ることで第一の発熱導線１４が第一の絶縁被覆１６によって被覆されていない非絶縁被覆先端２６が形成されている。第二のコード手段８の片端部の先端においては、第二の絶縁被覆２４を剥ぎ取ることで第二の発熱導線２２が第二の絶縁被覆２４によって被覆されていない非絶縁被覆先端２８が形成されている。第一の発熱導線１４の非絶縁被覆先端２６と第二の発熱導線２２の非絶縁被覆先端２８とは、第一の芯線１２に螺旋巻きされた第一の発熱導線１４と第二の芯線２０に螺旋巻きされた第二の発熱導線２２を相互に撚って更に半田付けせしめることで、相互に接続されている。また、第一のコード手段６の非絶縁被覆先端２６及び第二のコード手段８の非絶縁被覆先端２８の後方においては、第一のコード手段６と第二のコード手段８とは共通外側絶縁被覆３０によって被覆されている。
【００１５】
図１を参照して説明を続けると、接続ターミナル１０の基部１０ａは、一方が図１において紙面上下方向に延出し他方が図１において紙面横方向に延出する、全体としてＬ字形状の金属製薄板である。接続ターミナル１０の端子部１０ｂは、その先端が曲面形状にせしめられていると共にその後端部が平板形状にせしめられているが、全体として円筒形状である。端子部１０ｂは、その後端部と基部１０ａの先端部とを半田付けすることにより基部１０ａに固定される。接続ターミナル１０の基部１０ａは第一のコード手段６の片端部及び第二のコード手段８の片端部を囲繞する環形状部３２を有することが重要である。図示の実施形態においては、環形状部３２は、基部１０ａの図１において紙面横方向に延出する部分を共通外側絶縁被覆３０の片端部において第一のコード手段６の片端部と第二のコード手段８の片端部と共に共通外側絶縁被覆３０をかしめるようにして折り返すことで形成されている。これにより接続ターミナル１０の基部１０ａは第一のコード手段６の片端部と第二のコード手段８の片端部と共に共通外側絶縁被覆３０の片端部に固定される。少なくとも接続ターミナル１０の基部１０ａの環形状部３２内に位置する部位までの領域において、第一のコード手段６と第二のコード手段８とは共通外側絶縁被覆３０によって被覆されており、接続ターミナル１０の基部１０ａの環形状部３２は共通外側絶縁被覆３０を囲繞しているのが好ましい。図示の実施形態においては、共通外側絶縁被覆３０の先端は環形状部３２を幾分超えており、従って環形状部３２は共通外側絶縁被覆３０を囲繞している。共通外側絶縁被覆３０の先端を超えて延出する検知線１８の片端は、環形状部３２の外周面に半田付けにより固定されている。
【００１６】
接続ターミナル１０の基部１０ａの環形状部３２に隣接してその前方に筒状部材３４が配設されていることが重要である。図示の実施形態においては、筒状部材３４は合成樹脂製であって、その内径は共通外側絶縁被覆３０の外径よりも幾分大きい。筒状部材３４の先端は相互に接続されている第一の発熱導線１４の非絶縁被覆先端２６及び第二の発熱導線２２の非絶縁被覆先端２８との接続部よりも後方に位置し、筒状部材３４の後端は環形状部３２の先端に隣接すると共に共通外側絶縁被覆３０の先端よりも後方に位置する。筒状部材３４の先端側において、相互に接続されている第一の発熱導線１４の非絶縁被覆先端２６及び第二の発熱導線２２の非絶縁被覆先端２８と筒状部材３４との間を通って延在する挿通部材３６が配設されていることが重要である。図示の実施形態においては、挿通部材３６は、横断面形状が円形である棒状であり、その延出長さは筒状部材３４の外径より幾分長い。そして、挿通部材３６は、筒状部材３４の先端と近接した位置において、第一の発熱導線１４の非絶縁被覆先端２６と、第二の発熱導線２２の非絶縁被覆先端２８と、筒状部材３４の先端と、で囲まれた空間を通過する。筒状部材３４及び挿通部材３６も絶縁ブロック４内に収容されていることが重要である。図示の実施形態においては、筒状部材３４及び挿通部材３６は、第一のコード手段６の片端部と、第二のコード手段８の片端部と、接続ターミナル１０と、共に絶縁ブロック４を成形するための成形型内に所謂中子として配置され、成形型内に適宜の合成樹脂を射出することにより、絶縁ブロック４内に収容される。
【００１７】
以上詳述した、本発明にかかるコネクター２は、例えば上記特許文献１に開示されている電気毛布或いは電気カーペットの如き電気採暖具に適用される電気発熱手段のコントローラに電気的に接続される１本端子コネクターと称されるコネクターとして使用される。電気発熱手段自体は周知の形態でよく、本明細書においてはその説明を省略する。
【００１８】
本発明に従って構成されたコネクター２を１本端子コネクターとして使用する電気発熱手段は、通電して第一の発熱導線１４及び第二の発熱導線２２をジュール熱により発熱せしめることで採暖することができる。図１を参照することによって明確に理解されるとおり、かような電気発熱手段においては、絶縁ブロック４の外側に位置する第一のコード手段６の片端部及び／又は第二のコード手段８の片端部に引張力が加えられた場合であっても、第一のコード手段６の片端部及び第二のコード手段８の片端部と共に共通外側絶縁被覆３０の片端部が基部１０ａの環形状部３２によってかしめられていることに加えて、筒状部材３４の先端側において相互に接続されている第一の発熱導線１４の非絶縁被覆先端２６及び第二の発熱導線２２の非絶縁被覆先端２８と筒状部材３４との間を通って延在する挿通部材３６の存在によって、第一のコード手段６の片端部及び第二のコード手段８の片端部が絶縁ブロック４から引き抜かれてしまうことが可及的に防止される。そしてまた、偶発的に過剰な引張力が絶縁ブロック４の外側に位置する第一のコード手段６の片端部及び／又は第二のコード手段８の片端部に加えられた場合においては、図１と共に図３を参照することによって明確に理解されるとおり、第一のコード手段６の片端部及び第二のコード手段８の片端部と共に共通外側絶縁被覆３０の片端部が基部１０ａの環形状部３２から相対的後方に引き抜かれることとなる。しかしながら本発明のコネクター２においては、第一の発熱導線１４の非絶縁被覆先端２６と、第二の発熱導線２２の非絶縁被覆先端２８と、筒状部材３４の先端と、で囲まれた空間を通過する挿通部材３６の存在に起因して、第一の発熱導線１４の非絶縁被覆先端２６と第二の発熱導線２２の非絶縁被覆先端２８とが相互に接続された接続部は挿通部材３６の相対的後方に移動することができない。また、挿通部材３６はその延出長さが筒状部材３４の外径よりも長い故に筒状部材３４の先端と当接せしめられ、筒状部材３４はその後端が基部１０ａと当接せしめられ、従って挿通部材３６及び筒状部材３４は基部１０ａの相対的後方に移動することができない。即ち過剰な引張力が絶縁ブロック４の外側に位置する第一のコード手段６の片端部及び／又は第二のコード手段８の片端部に加えられると、かような引張力は第一の発熱導線１４の非絶縁被覆先端２６と第二の発熱導線２２の非絶縁被覆先端２８との接続部が挿通部材３６の先端側と当接した状態でかかる接続部に集中し、第一の発熱導線１４の非絶縁被覆先端２６と第二の発熱導線２２の非絶縁被覆先端２８との接続が破断することとなる。かくして第一のコード手段６の片端部及び第二のコード手段８の片端部が絶縁ブロック４から引き抜かれるのに先立って、第一の発熱導線１４の非絶縁被覆先端２６と第二の発熱導線２２の非絶縁被覆先端２８との接続が破壊され、漏電の発生が確実に回避される。
【符号の説明】
【００１９】
２：コネクター
４：絶縁ブロック
６：第一のコード手段
８：第二のコード手段
１０：接続ターミナル
１０ａ：接続ターミナルの基部
１０ｂ：接続ターミナルの端子部
１２：第一の芯線
１４：第一の発熱導線
１６：第一の絶縁被覆
１８：検知線
２０：第二の芯線
２２：第二の発熱導線
２４：第二の絶縁被覆
２６：非絶縁被覆先端
２８：非絶縁被覆先端
３０：共通外側絶縁被覆
３２：環形状部
３４：筒状部材
３６：挿通部材
【図１】
2015146260.tif 000003
【図２】
2015146260.tif 000004
【図３】
2015146260.tif 000005